(57)【要約】      （修正有）【課題】愛犬の大便を即時に回収、処理することができる道具を提供する。【解決手段】大便受具とゴム帯を作り、市販のビニール袋を使用して簡単な取っ手つき大便受器を作る。大便受具は外周枠１と平板足げた２と取っ手受土台３と取っ手本体４で構成し、外周枠１は四方の囲み枠の形状で内側に吹き抜けの空洞部分５をつくり、その空間にビニール袋の約４分の３を押し込んで大便収納袋とする。取っ手本体４の根元まで通した丸輪から伸びているゴム帯を引き伸し、ビニール袋の上部を外周枠１の外側に折りまげて上から押える。そのゴム帯の先端をつまんで平板足げたの切り込み１１の２か所にゴム帯を落し込めばビニール袋は固定される。用便後はゴム帯を引き、大便収納済のビニール袋を取りはずして上部をしばる。トイレでビニール袋のしばりを解いて大便を処理する。【選択図】図５
2019080570.tif 000002
【特許請求の範囲】
【請求項１】
長方形の外周枠（１）で四方を囲み、その囲み枠の内側に吹き抜けの空洞部分（５）を持つ形状物を作り、その１か所に取っ手本体（４）を取りつける。吹き抜けの空洞部分（５）に市販のビニール袋（１６）の約４分の３を上から押し込んで、上部はみ出し部分を外周枠（１）の外側に折りまげて大便収納袋とする。外側に折りまげたビニール袋（１６）を外周枠（１）に固定させる方法は、丸輪つきゴム帯（１３）の丸輪（１４）を取っ手本体（４）の根元に通して、外周枠（１）を一周させるゴム帯（１５）を平板足げたの切り込み（１１）に収めて折りまげたビニール袋（１６）を押える方法、又はゴム帯（１５）の両端を取っ手本体（４）に直接取りつけて大きな輪っか状にして、外周枠（１）の数か所に止め具を設けてそこにゴム帯（１５）を収めて折りまげたビニール袋（１６）を押える方法がある。外周枠（１）は平板以外に、丸柱、外側面に半月状のくぼみのある四角柱で作っても良い。形は長方形以外に、円形等でも良い。ゴム帯（１５）は、丸い紐状でも平たい紐状でも良い。取っ手本体（４）は、掴み易い長さで９０ミリとしているが、全体が軽い物であるので親指の根元から押えられる長さがあれば、人差し指との２本で、短かい時間であれば安定的に保持できる。以上の構成のような、取っ手つき外周枠とゴム帯で、市販のビニール袋を大便収納袋に利用して、犬の大便受器として使用する方法と形態。
【発明の詳細な説明】
【技術分野】
【０００１】  この発明は犬が散歩途上で用便をする時に、その大便を直接収納袋にて収納して処理する道具に関するものである。
【背景技術】
【０００２】  従来は犬が地面上に直接大便を落した後で、それをビニール袋を使って手で回収したり、地面上に紙を敷いて受けて回収したり、スコップ状の用具等で回収したりと、いずれの方法も手間がかかり、地面を汚すことが多く手を汚すこともあり不衛生である。収納袋で大便を直接受けて処理する用具はない。
【発明の概要】
【発明が解決しようとする課題】
【０００４】  これは次のような課題、要望があった。
（イ）散歩時に犬の大便を地面上に放置したままの状態が多々ある。
（ロ）ビニール袋を裏がえして大便を手で掴んで回収しても、地面に汚れが多く残り、手を汚すことがある。
（ハ）大便収納袋を簡単に着脱できる用具がない。
（ニ）散歩に行く前に事前に用意ができる犬の大便受器がない。
【課題を解決するための手段】
【０００５】  大便受具とゴム帯と大便収納袋の３つを組み合せて一体使用し、散歩途上で犬の大便を即時に回収できる大便回収用具として使用する。大便受具は外周枠（１）と２つの平板足げた（２）と取っ手受土台（３）と取っ手本体（４）で構成し、それぞれの接面部分で連結して一体化した物として作成する。外周枠（１）は厚さ３ミリ、幅１０ミリの平板が四方を囲む形状で作成する。この外周枠（１）の囲み枠内に吹き抜けの空洞部分（５）ができるので、上から大便収納袋を下方に押し込んで使用する空間とする。次に平板足げた（２）は幅４ミリ、高さ２０ミリ、長さ８０ミリの大きさで作成する。外周枠の側面部分（６）２か所の下部面に接面してこの平板足げた（２）を設置する。平板足げた（２）の先端上部に１０ミリ角の切り込み（１１）を設けて、大便収納袋を装着した際にゴム帯（１５）で固定するためのくぼみとして利用する。取っ手受土台（３）は幅１０ミリ、高さ２０ミリ、長さ４０ミリの大きさで作成する。その取っ手受土台（３）を外周枠の後方部分の中央部分（１２）の下部面に接面して設置する。取っ手本体（４）は幅２０ミリ、高さ２０ミリ、長さ９０ミリの四角柱で作成する。その取っ手本体（４）を取っ手受土台（３）の中央部分に接面して、手前に伸びる形状で設置する。別途丸輪つきゴム帯（１３）を作成する。取っ手本体（４）を通せるサイズの丸輪（１４）に、一本の長いゴム帯（１５）の両端を結合させて大きな輪っかを設ける。以上の構成で、市販のビニール袋（１６）を大便収納袋にして、大便受器として使用する手順、状態を説明する。まず、大便受具の吹き抜け空洞部分（５）にビニール袋（１６）の下部約４分の３を上から押し込み、上部はみだし部分を外周枠（１）の外側に折りまげる。そして丸輪（１４）を取っ手本体（４）の根元まで通して、外周枠（１）の下面で平板足げた（２）の外側に沿って、ぐるっと一周するようにゴム帯（１５）を引き伸ばして、平板足げた（２）の切り込み（１１）に収めると、ビニール袋（１６）の折りまげた部分を上から押えて固定させることができる。これで犬の用便時には即時に大便を回収できる。
【発明の効果】
【０００６】  （イ）犬の散歩時に手を汚さずに即時に、犬の大便の回収ができる。
（ロ）地面を便で汚すことなく快適である。
（ハ）大便受具に大便収納袋を装着、取りはずしが簡単である。
（ニ）散歩の前に予め用意ができ、市販のビニール袋を大便収納袋に使用するので、大便の回収後の処理も、トイレで楽にできる。
【図面の簡単な説明】
【０００７】
【図１】  大便受具の平面図
【図２】  大便受具の左側面図
【図３】  大便受具の正面図
【図４】  大便受具の取っ手部分の参考斜視図
【図５】  大便受具の斜視図
【図６】  丸輪つきゴム帯の平面図
【図７】  透明のビニール袋を固定した大便受器の参考斜視図
【図８】  ビニール袋
【発明を実施するための形態】
【０００８】  以下発明を実施するための形態について説明する。
この器具は大便受具とゴム帯と大便収納袋の３つを組み合せて一体使用し、散歩途上で手を汚さずに犬の大便を即時に回収、処理する道具である。大便受具は外周枠（１）と２つの平板足げた（２）と取っ手受土台（３）と取っ手本体（４）の４つで構成され、それぞれの接面部分で連結して一体化した物として作成する。外周枠（１）は厚さ３ミリ、幅１０ミリの平板が四方を囲む形で内側に吹き抜けの空洞部分（５）をつくる形状とする。この囲み形状は、外周枠の前方部分（７）のみ三日月形で他の三辺は長方形とする。外周枠の前方部分の先端（８）から外周枠の後方部分の外端（９）までの距離は１５０ミリ、外周枠の前方部分の三日月形の終止点（１０）から外周枠の後方部分の外端（９）までの距離は１２０ミリとする。これによりこの外周枠（１）の枠内に縦距離１３０ミリ、横距離１００ミリの吹き抜けの空洞部分（５）ができて、大便収納袋を上から押し込んで使用する空間とする。平板足げた（２）は幅４ミリ、高さ２０ミリ、長さ８０ミリの大きさで外周枠の側面部分（６）２か所に設ける。この平板足げた（２）の設置場所は、外周枠の前方部分の三日月形の終止点（１０）から後方に向って、外周枠（１）の下部面に接面して２か所に設置する。いずれも外周枠（１）の内側端面から段差なく垂直に立つ形状とする。それぞれの平板足げた（２）の前方部分の先端上部に１０ミリの角の切り込み（１１）を設ける。これは外周枠（１）の外側に沿ってゴム帯（１５）で大便収納袋の周囲を押える際に、この切り込み（１１）のくぼみにゴム帯（１５）を落し込んで、大便収納袋を安定的に固定させるためである。取っ手受土台（３）は、外周枠の後方部分の中央部分（１２）幅１０ミリ×長さ４０ミリの面積の下部面に接面して設置する。取っ手本体（４）を支えるためには相当程度の強度が必要であるので、取っ手受土台（３）は幅１０ミリ、高さ２０ミリ、長さ４０ミリの大きさとする。取っ手本体（４）は、幅２０ミリ、高さ２０ミリ、長さ９０ミリとし、四角柱のシンプルな形状とする。手で掴み易く収まりの良い形とする場合は下部面のみ三日月形状とする。取っ手本体（４）は取っ手受土台（３）の受面積、高さ２０ミリ×長さ４０ミリの中央部分に接面して手前に伸びた状態として設置する。ゴム帯は丸輪つきゴム帯（１３）とする。内径が約３０ミリ、太さが約５ミリの丸輪（１４）に、１本の太さが約３ミリのゴム帯（１５）の両端を約２０ミリの間隔をあけて結合して設置する。ゴム帯（１５）の長さは約３７０ミリとし、軽く引き伸ばして約１００ミリ程度の伸び弾力を有するものとする。前述の大便受具に大便収納袋として市販のビニール袋（１６）を装着する場合の丸輪つきゴム帯（１３）の利用形態について説明する。ビニール袋（１６）を装着する場合は、大便受具の吹き抜け空洞部分（５）にそのビニール袋（１６）の下部約４分の３を上から下に差し込んで大便収納袋とします。その後外周枠（１）の外側にビニール袋（１６）の上部はみ出し部分を折りまげた時に、そのビニール袋（１６）が下方向にずれ落ちない様に、折りまげたビニール部分を外周枠（１）に安定的に固定する必要があります。その際に使用するのが丸輪つきゴム帯（１３）です。丸輪つきゴ��帯（１３）は常時、取っ手本体（４）の根元まで丸輪（１４）を通した状態とする。ビニール袋（１６）の上部はみ出し部分を外周枠（１）の外側に折りまげたら、ゴム帯の先端（１７）を掴んで軽く引き伸ばし、ゴム帯（１５）が外周枠の外側のビニール袋（１６）を押えて一周した状態で、平板足げたの切り込み（１１）にそのゴム帯（１５）を喰い込ませてビニール袋（１６）を安定的に固定させる。これはゴム帯（１５）を取っ手本体（４）の根元から外周枠（１）下面で平板足げた（２）の外側に沿ってぐるっと一周させる形となります。犬の大便を収納したらゴム帯の先端（１７）を掴んで引き伸ばして、ゴム帯（１５）を平板足げたの切り込み（１１）からはずす。そこでビニール袋（１６）を下方向に取りはずせば楽に回収できる。大便受具の外周枠（１）、平板足げた（２）、取っ手受土台（３）、取っ手本体（４）の材質はプラスチック又は軽い木材で良い。ただしいずれも相当程度の強度が必要。丸輪つきゴム帯（１３）の丸輪（１４）の材質は、ゴム、プラスチック、金属、布類のいずれでも良い。ゴム帯（１５）はゴム製で丸い線状でも平たい線状でも良い。大便収納袋は市販のビニール袋（１６）を使用し、ポリエチレン製で、キッチンパック又はゴミ袋でも良く、サイズは外形２５０ミリ×３５０ミリ位が本件サイズの大便受具に適している。本件サイズは中型犬以上向けであり、小型犬向けであればこの半分位のサイズで良い。
【符号の説明】
【０００９】１  外周枠
２  平板足げた
３  取っ手受土台
４  取っ手本体
５  吹き抜けの空洞部分
６  外周枠の側面部分
７  外周枠の前方部分
８  外周枠の前方部分の先端
９  外周枠の後方部分の外端
１０  外周枠の前方部分の三日月形の終止点
１１  切り込み
１２  外周枠の後方部分の中央部分
１３  丸輪つきゴム帯
１４  丸輪
１５  ゴム帯
１６  ビニール袋
１７  ゴム帯の先端
【図１】
2019080570.tif 000003
【図２】
2019080570.tif 000004
【図３】
2019080570.tif 000005
【図４】
2019080570.tif 000006
【図５】
2019080570.tif 000007
【図６】
2019080570.tif 000008
【図７】
2019080570.tif 000009
【図８】
2019080570.tif 000010